(57)【要約】【課題】主に、耐火建築物の屋根に対する屋根材の敷設と防水施工とを、同じ作業者によって施工できるようにする。【解決手段】屋根構造体梁３の上に耐火性の屋根材４が敷設され、屋根材４に対して防水が施された耐火建築物１の屋根構造に関する。  屋根材４は、屋根枠１１の上に、耐火性の野地板１２と、防水シート１３と、屋根仕上材１４とが組付けられた屋根パネル１５とされる。  屋根パネル１５は、屋根構造体梁３に取付けられた屋根パネル固定金具１６，１７に対して下側から固定される。  屋根パネル１５は、屋根枠１１が、平行な一対の垂木受梁２１と、複数本の垂木２２とを有している。野地板１２および屋根仕上材１４は、屋根枠１１よりも短い幅寸法Ｗ１を有して重ね合わされる。防水シート１３は、屋根枠１１よりも長い幅寸法Ｗ３を有して野地板１２と屋根仕上材１４との間に挟み込まれる。【選択図】図１
2020183683.tif 000002
【特許請求の範囲】
【請求項１】
耐火建築物の屋根構造体梁の上に耐火性の屋根材が敷設され、該屋根材に対して防水が施された耐火建築物の屋根構造であって、
前記屋根材は、屋根枠の上に、耐火性の野地板と、防水シートと、屋根仕上材とが予め下から順に組付けられた屋根パネルとされ、
該屋根パネルは、前記屋根構造体梁に取付けられた屋根パネル固定金具に対して下側から固定されていることを特徴とする耐火建築物の屋根構造。
【請求項２】
請求項１に記載の耐火建築物の屋根構造であって、
前記屋根パネルは、前記屋根枠が、平行な一対の垂木受梁と、該垂木受梁の間に架設連結された複数本の垂木とを有し、前記野地板および前記屋根仕上材は、前記屋根枠よりも短い幅寸法を有して、前記屋根枠の上の前記垂木の両端部よりも内側の位置に、上下に揃えて重ね合わされ、前記防水シートは、前記屋根枠よりも長い幅寸法を有して前記屋根枠の外側にハミ出るように前記野地板と前記屋根仕上材との間に挟み込まれていることを特徴とする耐火建築物の屋根構造。
【請求項３】
請求項１または請求項２に記載の耐火建築物の屋根構造であって、
前記屋根パネル固定金具は、前記屋根パネルを載置固定する載置固定面を有し、
該載置固定面は、前記屋根構造体梁に取付けられる耐火被覆材よりも高い位置に設置されると共に、前記屋根構造体梁よりも外側の位置に前記屋根パネルを締結固定するボルト穴が形成されていることを特徴とする耐火建築物の屋根構造。
【請求項４】
請求項１ないし請求項３のいずれか１項に記載の耐火建築物の屋根構造であって、
前記屋根パネルが、隣接した状態で前記屋根パネル固定金具に同時に固定され、
隣接する前記屋根パネルの隣接する前記野地板間に、つなぎの野地板が介在され、
隣接する前記屋根パネルの隣接する前記防水シートが、互いに重ね合わされた状態で防水テープによって貼り合され、
隣接する前記屋根パネルの隣接する前記屋根仕上材間に、つなぎの屋根仕上材が介在されていることを特徴とする耐火建築物の屋根構造。
【請求項５】
請求項１ないし請求項３のいずれか１項に記載の耐火建築物の屋根構造であって、
前記屋根パネルが、前記屋根パネル固定金具に固定され、
前記屋根パネルの前記屋根枠の端部の上に、前記野地板の端部と並べて、端部用の野地板が設置され、
前記屋根パネルの前記防水シートの端部が、前記端部用の野地板の上を覆うように拡げられ、
前記屋根パネルの前記防水シートの端部の上に、前記屋根仕上材の端部と並べて、端部用の屋根仕上材が設置されていることを特徴とする耐火建築物の屋根構造。
【発明の詳細な説明】
【技術分野】
【０００１】
この発明は、耐火建築物の屋根構造に関するものである。
【背景技術】
【０００２】
耐火建築物は、建物本体の上部に設けられた屋根構造体梁の上に耐火性の屋根材を敷設し、この屋根材に対して防水を施した屋根構造を有している（例えば、特許文献１、２参照）。
【０００３】
耐火建築物の屋根材には、屋根の荷重を支える構造材としての機能と、耐火材としての機能とを兼ね備えたＡＬＣ版（軽量気泡コンクリート版）などが使用されている。
【先行技術文献】
【特許文献】
【０００４】
【特許文献１】特開平２−２４８５５５号公報
【特許文献２】特開平５−１４８９２９号公報
【発明の概要】
【発明が解決しようとする課題】
【０００５】
しかしながら、屋根材にＡＬＣ版を使用した耐火建築物の屋根構造には、以下のような問題があった。
【０００６】
即ち、ＡＬＣ版の敷設は、屋根構造体梁の上に乗って不安定な状態で行う高所作業になるため、高所作業での重量物の扱い技能のあるとび職などの熟練工でなければ作業ができない。
【０００７】
また、ＡＬＣ版に対する防水施工（例えば、シート防水）は、シートの継ぎ部を隙間なく確実に貼り合わせなければならず、それには特別に熟練した技能が必要であり、施工者が限られている（現状では、シート防水業者が認定した工事店のみを施工者としている）。
【０００８】
このように、耐火建築物の屋根材にＡＬＣ版を使用する場合には、ＡＬＣ版の敷設と防水施工とにそれぞれ異なった２種類の特別な技能が必要になり、作業者が別になってしまうなどの問題があった。
【０００９】
そこで、本発明は、主に、上記した問題点を解決することを目的としている。
【課題を解決するための手段】
【００１０】
上記課題を解決するために、本発明は、
耐火建築物の屋根構造体梁の上に耐火性の屋根材が敷設され、該屋根材に対して防水が施された耐火建築物の屋根構造であって、
前記屋根材は、屋根枠の上に、耐火性の野地板と、防水シートと、屋根仕上材とが予め下から順に組付けられた屋根パネルとされ、
該屋根パネルは、前記屋根構造体梁に取付けられた屋根パネル固定金具に対して下側から固定されていることを特徴とする。
【発明の効果】
【００１１】
本発明によれば、上記構成によって、耐火建築物の屋根に対する屋根材の敷設と防水施工とを、同じ作業者によって施工できるようになる。
【図面の簡単な説明】
【００１２】
【図１】本実施の形態にかかる耐火建築物の屋根構造を横から見た縦断面図である。
【図２】（ａ）は図１の屋根構造体梁の状態を示す平面図、（ｂ）は（ａ）の横から見た屋根構造体梁（妻梁および中間梁）の配置図である。
【図３】図２の屋根構造体梁（不図示）の上に屋根材となる屋根パネルを敷設した状態を示す斜視図である。
【図４】図３の屋根パネルの屋根枠を示す斜視図である。
【図５】図４の屋根枠の上に野地板を取付けた状態を示す斜視図である。
【図６】図５の野地板の上に防水シートを取付けた状態を示す斜視図である。
【図７】図６の防水シートの上に屋根仕上材を取付けた状態を示す斜視図である。
【図８】屋根パネル固定金具（内側固定金具）を示す図である。このうち、（ａ）は平面図、（ｂ）は端面図、（ｃ）は側面図である。
【図９】屋根パネル固定金具（外側固定金具）を示す図である。このうち、（ａ）は平面図、（ｂ）は端面図、（ｃ）は側面図である。
【図１０】屋内側の屋根パネル固定金具に屋根パネルを下側から固定する状態を示す図（横から見た縦断面図）である。
【図１１】図１０に続く施工図である。
【図１２】図１１に続く施工図である。
【図１３】図１２に続く施工図（完了状態）である。
【図１４】外壁側の屋根パネル固定金具に屋根パネルを下側から固定する状態を示す図（横から見た縦断面図）である。
【図１５】図１４に続く施工図である。
【図１６】図１５に続く施工図である。
【図１７】図１６に続く施工図である。
【図１８】図１７に続く施工図（完了状態）である。
【図１９】比較例にかかる耐火建築物の屋根構造を一部破断した図であり、ＡＬＣ版の敷設状態を示す斜視図である。
【図２０】図１９のＡＬＣ版の上に防水施工を施した状態を示す、図１９とは異なる角度から見た部分拡大斜視図である。
【発明を実施するための形態】
【００１３】
以下、本実施の形態を、図面を用いて詳細に説明する。
図１〜図２０は、この実施の形態を説明するためのものである。
【実施例１】
【００１４】
＜構成＞以下、構成について説明する。
【００１５】
図１に示すように、耐火建築物１は、建物本体２の上部に設けられた屋根構造体梁３（図２）の上に耐火性の屋根材４を敷設（図３）して、屋根材４に対し防水を施した構造の屋根５（屋根構造）を有している。
【００１６】
ここで、耐火建築物１は、共同住宅や防火地域の住宅に対して必要とされる耐火構造を備えた建築物のことであり、例えば、敷地面積が小さい土地や、建ぺい率や地価が高い都市部の土地などに多く見られる３・４階建の建築物などに適用されている。建物本体２の外面には、外壁６が設置される。
【００１７】
屋根構造体梁３は、耐火建築物１の屋根５を形成するために建物本体２の上部に設けられる梁のことである。この実施例では、屋根５は平面視矩形状とされており、図２に示すように、屋根構造体梁３は、平面視矩形状の屋根５の長辺に沿った一対の桁梁と、建物本体２の短辺に沿った一対の妻梁および妻梁と平行な単数または複数の中間梁とを有している。妻梁および中間梁は、桁梁の長手方向に対し屋根材４とほぼ同じ間隔を有して設置されており、屋根材４は、主に、妻梁および中間梁に対して取付けるようにしている。但し、屋根５の形状や、屋根構造体梁３の配置および構成などについてはこれに限るものではない。
【００１８】
図１に示すように、屋根構造体梁３には、例えば、縦面となるウェブ部３ａと、ウェブ部３ａの上下端部に位置して横面となる上下のフランジ部３ｂとを有するＨ型鋼などが使われる。
【００１９】
屋根材４は、既存のＡＬＣ版７（軽量気泡コンクリート版、図１９、図２０）に替えて用いることができる機能を持つものとなっている。新たな屋根材４、および、屋根材４の防水については後述する。
【００２０】
屋根５は、耐火建築物１の建物本体２と同様の高い耐火構造が必要とされる。屋根５は、全体がほぼ水平な面とされている（但し、若干の排水勾配を有することができる）。
【００２１】
そして、この実施例は、以下のような構成を備えることができる。
【００２２】
（１）屋根材４は、図４に示すような屋根枠１１の上に、図５に示すような耐火性の野地板１２と、図６に示すような防水シート１３と、図７に示すような屋根仕上材１４とが予め下から順に組付けられた屋根パネル１５とされる。
屋根パネル１５は、屋根構造体梁３に取付けられた屋根パネル固定金具１６，１７（図８、図９）に対して下側から固定される（図１０、図１４）。
【００２３】
ここで、  屋根枠１１は、図４に示すような平面視ほぼ矩形状の枠体などとされる。屋根枠１１については、後述する。
【００２４】
野地板１２は、屋根５の面を構成する平面視ほぼ矩形状の構造材であり、図５に示すように、屋根枠１１の上に一枚または複数枚並べて貼設される。野地板１２には、例えば、耐火性と強度とを有する硬質木片セメント板などを使うことができる。そして、例えば、硬質木片セメント板の板厚を１８ｍｍとし、屋根枠１１を鋼製とすることで、屋根パネル１５を、耐火３０分性能を満たすものにすることができる。加えて、耐火建築物１の直下階の天井ボードや断熱材なども屋根５の耐火材として利用することができる。よって、これらを適宜組合わせることで、屋根５に所要の耐火性能を持たせることができる。但し、野地板１２の厚みなどについては、これに限るものではなく、必要な耐火性や強度などに応じて適宜設定できる。
【００２５】
防水シート１３（図６）は、防水性を有するシートのことであり、ルーフィング材などを使用することができる。防水シート１３は、平面視ほぼ矩形状のシート材などとされる。
【００２６】
屋根仕上材１４（図７）は、屋根パネル１５の最も上側に取付けられる仕上用の部材であり、例えば、塩ビ鋼板やフッ素鋼板などの防水鋼板などを使用することができる。屋根仕上材１４は、平面視ほぼ矩形状をした部材などとされて、屋根パネル１５の大きさに合わせて単数または複数設置される。
【００２７】
屋根パネル１５は、ＡＬＣ版７の替わりに用いられるパネル状の屋根材４である。屋根パネル１５では、それぞれ平面視ほぼ矩形状とされた、屋根枠１１、野地板１２、防水シート１３、屋根仕上材１４は、それぞれ辺の向きを揃えて上下に積層配置される。なお、矩形状とは、４つの辺と、４つの角とで構成された長方形または正方形状の面を有する形のことである。
【００２８】
屋根パネル固定金具１６，１７（図８、図９）は、屋根構造体梁３に屋根パネル１５を取付けるための金具のことである。屋根パネル固定金具１６，１７は、用いる位置の違いによって、２種類のものを用意している。屋根パネル固定金具１６，１７は、例えば、妻梁または中間梁となる屋根構造体梁３の両端部や中間部などに対してそれぞれ複数箇所設けられる（図２）。屋根パネル固定金具１６，１７については、後述する。
【００２９】
下側から固定とは、下から上に向けて取付けることである。屋根パネル固定金具１６，１７に対する屋根パネル１５の固定には、ボルトやナットなどの固定具１８（または締結固定具）が用いられる。
【００３０】
（２）より具体的には、図４に示すように、屋根パネル１５は、屋根枠１１が、平行な一対の垂木受梁２１と、垂木受梁２１の間に架設連結された複数本の垂木２２とを有しても良い。
また、図７に示すように、野地板１２および屋根仕上材１４は、屋根枠１１（の幅寸法Ｗ２）よりも短い幅寸法Ｗ１を有して、屋根枠１１の上の垂木２２の両端部よりも内側の位置に、上下に揃えて重ね合わされても良い。
そして、防水シート１３は、屋根枠１１（の幅寸法Ｗ２）よりも長い幅寸法Ｗ３を有して屋根枠１１の外側にハミ出るように野地板１２と屋根仕上材１４との間に挟み込まれても良い（幅寸法Ｗ１＜幅寸法Ｗ２＜幅寸法Ｗ３）。
【００３１】
ここで、垂木受梁２１は、屋根枠１１の縦枠部分（長辺）を構成する長尺材である。一対の垂木受梁２１は、屋根パネル１５の幅に合わせて間隔を有して配設される。垂木受梁２１は、どのようなものとしても良いが、この実施例では、縦面部２１ａと、縦面部２１ａの下端部から屋根枠１１の幅方向の外方へ延びる横面部２１ｂとを有するＬ字断面の鋼材とされている。屋根枠１１は、横面部２１ｂが屋根パネル固定金具１６，１７に対して当接固定される。
【００３２】
垂木２２は、屋根枠１１の横枠部分（短辺）や中桟部分を構成する棒状の部材である。垂木２２は、どのようなものとしても良いが、この実施例では、矩形断面を有する角材または角筒状部材（角形鋼管）とされている。垂木２２は、一対の垂木受梁２１の縦面部２１ａ間に、縦面部２１ａの上端よりも上面が高くなるように取付けられている。垂木２２の端部には、縦面部２１ａに取付けるための取付板２２ａ（端板）が設置されている。取付板２２ａは、垂木２２の下面よりも下側へ延びるように形成され（下方延長部）、この下方延長部の垂木２２の下面よりも下側の部分が垂木受梁２１の縦面部２１ａの上部に固定されている。垂木受梁２１と垂木２２とは、リベットやボルトや溶接などによって固定される。これにより、屋根パネル１５の厚みを既存のＡＬＣ版７と同等の厚みにして、屋根パネル１５をＡＬＣ版７に代替させ易くすることができる。
【００３３】
屋根枠１１の幅寸法Ｗ２は、垂木２２の長さと、垂木２２の両端の横面部２１ｂの長さとを足した長さになる。野地板１２および屋根仕上材１４の幅寸法Ｗ１は、構造的には屋根枠１１の幅寸法Ｗ２と同じにすることができるが、上記したように、屋根枠１１の幅寸法Ｗ２よりも短くするのが好ましい。幅寸法Ｗ１を短くした野地板１２および屋根仕上材１４を、屋根枠１１の幅方向の中間部に設置することにより、防水シート１３がない状態にすると、垂木２２の両端部が露出された状態になる。このときの垂木２２の両端部の露出量は、それぞれほぼ屋根構造体梁３のフランジ部３ｂの幅程度分などとするのが好ましい（図１０）。
【００３４】
なお、野地板１２および屋根仕上材１４の縦寸法（垂木受梁２１の長さ方向の寸法）は、屋根枠１１よりも長く形成されて、屋根枠１１の片側にハミ出されている。但し、野地板１２および屋根仕上材１４の縦寸法などについては、これに限るものではない。
【００３５】
防水シート１３の幅寸法Ｗ３は、図１０〜図１３（特に図１２）に示すように、屋根パネル１５を横に並べて設置した時に、屋根枠１１の外側にハミ出た部分どうしが互いに重なる程度の長さにする。なお、防水シート１３の重ねられた部分は、防水テープ２３を貼ることでシールが行われる。
【００３６】
この実施例では、図７に示すように、防水シート１３の縦寸法（垂木受梁２１の長さ方向の寸法）は、野地板１２および屋根仕上材１４よりも長く形成されて、屋根枠１１の両側にハミ出されている。但し、防水シート１３の縦寸法などについては、これに限るものではない。
【００３７】
野地板１２および屋根仕上材１４を上下に揃えて重ね合わせるとは、野地板１２と屋根仕上材１４とが周縁部の位置をほぼ一致させた状態で積み重ねられることである。但し、周縁部の位置を若干ズラせて配置する程度のことは許容できる。
【００３８】
（３）図８（図９）に示すように、屋根パネル固定金具１６，１７は、屋根パネル１５を載置固定する載置固定面３１を有しても良い（図１、図２も併せて参照）。
載置固定面３１は、屋根構造体梁３に取付けられる耐火被覆材３２（図１）よりも高い位置に設置されると共に、屋根構造体梁３よりも外側の位置に屋根パネル１５を締結固定するボルト穴３３が形成されても良い。
【００３９】
ここで、載置固定面３１は、上面に屋根パネル１５を載せて屋根パネル１５を下側から支持する面であり、同時に、屋根パネル１５を固定する面である。載置固定面３１は、ほぼ水平面とされる。この実施例では、載置固定面３１は、屋根パネル１５の横面部２１ｂを載置固定するようになっている。
【００４０】
耐火被覆材３２は、建物を耐火建築物１にするために屋根構造体梁３の外周を包むように取付けられる耐火性の被覆材である。耐火被覆材３２には、例えば、無機繊維フェルトなどを使用することができる。耐火被覆材３２は、所要の厚みを有している。
【００４１】
載置固定面３１を耐火被覆材３２よりも高い位置に設置するために、屋根パネル固定金具１６，１７は、載置固定面３１を上に持ち上げるための脚部３４を有している。脚部３４は、耐火被覆材３２の厚みよりも長く形成されて、載置固定面３１の両端部に一対設けられている。載置固定面３１は、一対の脚部３４を溶接などによって屋根構造体梁３（の上側のフランジ部３ｂの上面など）に固定される。
【００４２】
屋根構造体梁３よりも外側の位置は、屋根構造体梁３を平面的に見たときに屋根構造体梁３の投影範囲から外れた位置のことである。そのために、脚部３４は、屋根構造体梁３に対する固定部分となる基部３４ａ（図１０、図１４）から屋根構造体梁３の幅方向（屋根構造体梁３の長手方向とほぼ垂直なほぼ水平方向）の外方へ向かって横に延ばされている。そして、載置固定面３１は、脚部３４の先端側に、全部または大部分が屋根構造体梁３からハミ出るように設けられる。脚部３４は、基部３４ａ側の下縁部が、屋根構造体梁３の上側のフランジ部３ｂの片側の位置に、フランジ部３ｂのほぼ半幅程度の長さに亘って固定される。
【００４３】
ボルト穴３３は、ボルトなどの固定具１８を取付けるために予め載置固定面３１に形成された取付穴のことである。ボルト穴３３は、水平投影面上の位置が屋根構造体梁３と被らないように載置固定面３１に形成されている。この実施例では、ボルト穴３３は、ボルトの挿入に支障のない範囲で耐火被覆材３２と若干位置重なる位置に形成されている。
【００４４】
なお、屋根パネル固定金具１６，１７には、図１０〜図１３に示すように、室内側で用いられる屋根パネル固定金具１６（内側固定金具、図８）と、図１４〜図１８に示すように、外壁６側で用いられる屋根パネル固定金具１７（外側固定金具、図９）とが存在している。
【００４５】
このうち、室内側で用いられる屋根パネル固定金具１６（内側固定金具）は、載置固定面３１が、隣接する屋根パネル１５の隣接する横面部２１ｂを同時に載置できる大きさとされている（図１０）。
【００４６】
これに対し、外壁６側で用いられる屋根パネル固定金具１７（外側固定金具）は、載置固定面３１が、最も外側に位置する屋根パネル１５の外側の横面部２１ｂ（のみ）を載置できる大きさとされている（図１４）。
【００４７】
内側固定金具（屋根パネル固定金具１６、図１０）の載置固定面３１には、隣接する屋根パネル１５の隣接する横面部２１ｂを横に並べた状態で、同時に固定できるようにするための２種類のボルト穴３３（図８）が形成されている。２種類のボルト穴３３は、屋根パネル１５の幅方向（横方向）に並べて形成されている。
【００４８】
これに対し、外側固定金具（屋根パネル固定金具１７、図１４）の載置固定面３１には、最も外側に位置する屋根パネル１５の外側の横面部２１ｂを固定するための１種類のボルト穴３３（図９）が形成されている。
【００４９】
なお、屋根パネル固定金具１６，１７の各ボルト穴３３は、屋根パネル固定金具１６，１７を取付ける屋根構造体梁３の長手方向に対して単数、または、複数ずつ（この実施例では３個ずつ）設けても良い。
【００５０】
以下、屋根パネル固定金具１６，１７の使い方について具体的に説明する。
【００５１】
（４）屋根５の屋内側では、図１０〜図１３に示すように、屋根パネル１５は、隣接した状態で屋根パネル固定金具１６（内側固定金具）に同時に固定されても良い。
隣接する屋根パネル１５の隣接する野地板１２間に、つなぎの野地板４１（図１１）が介在されても良い。
隣接する屋根パネル１５の隣接する防水シート１３が、互いに重ね合わされた状態で防水テープ２３によって貼り合わされても良い。
隣接する屋根パネル１５の隣接する屋根仕上材１４間に、つなぎの屋根仕上材４２（図１２）が介在されても良い。
【００５２】
ここで、屋根パネル固定金具１６（内側固定金具）には、隣接する屋根パネル１５の屋根枠１１（における隣接する垂木受梁２１の横面部２１ｂ）が横に並んだ状態で同時に載置固定される（図１０）。
【００５３】
この際、互いに隣接する屋根枠１１の間は、互いの横面部２１ｂ（の幅寸法）を合わせた分だけ離間される。また、隣接する野地板１２間および屋根仕上材１４間は、屋根枠１１間よりも広く離間される。そこで、隣接する野地板１２間および屋根仕上材１４間の離間した部分には、つなぎ作業で、つなぎの野地板４１（図１１）やつなぎの屋根仕上材４２（図１２）が、屋根枠１１の両側部間の上を跨ぐように取付けられる。この際、つなぎの野地板４１を設置し（図１１）、防水シート１３を拡げて防水テープ２３で貼り合わせてシールした後で、つなぎの屋根仕上材４２が設置される（図１２、図１３）。
【００５４】
屋根パネル１５の屋根仕上材１４とつなぎの屋根仕上材４２との間には、屋根カバー４３が上から取付けられる。屋根仕上材１４やつなぎの屋根仕上材４２の側縁部には、返部（かえし部）を備えた立上部４４が形成されている。隣接する立上部４４の間には、隣接する立上部４４を内側から保持するほぼＵ字状をした屋根レール４９が取付けられると共に、屋根カバー４３は、隣接する立上部４４を外側から保持する。屋根カバー４３は、内部に隣接する立上部４４（および屋根レール４９）を同時に収容できるようになっており、屋根カバー４３の両側部には返部に嵌合係止される係止部（返受部）が形成されている。また、屋根レール４９の両側部にも返部に嵌合係止される係止部（返受部）が形成される。
【００５５】
（５）屋根５の外壁６側では、図１４〜図１８に示すように、屋根パネル１５は、屋根パネル固定金具１７（外側固定金具）に固定されても良い。
屋根パネル１５の屋根枠１１の端部の上に、野地板１２の端部と並べて、端部用の野地板４５（図１５）が設置されても良い。
屋根パネル１５の防水シート１３の端部が、端部用の野地板４５の上を覆うように拡げられても良い。
屋根パネル１５の防水シート１３の端部の上に、屋根仕上材１４の端部と並べて、端部用の屋根仕上材４６（図１６）が設置されても良い。
【００５６】
ここで、屋根パネル固定金具１７（外側固定金具）には、屋根パネル１５の外側の縁部となる屋根枠１１（における垂木受梁２１の横面部２１ｂ）が載置固定される（図１４）。端部用の野地板４５や端部用の屋根仕上材４６は、つなぎの野地板４１やつなぎの屋根仕上材４２のほぼ半分の大きさとされる。つなぎの野地板４１やつなぎの屋根仕上材４２は、屋根枠１１の端部からハミ出された状態で設置される。屋根パネル１５の屋根仕上材１４と端部用の屋根仕上材４６との間には、上記と同様に、隣接する立上部４４間に屋根レール４９を介在させた状態で、屋根カバー４３が上から取付けられる（図１６、図１７）。以上により、端部処理がなされる。
【００５７】
更に、図１８に示すように、端部用の屋根仕上材４６と外壁６の上端部との間には、端部用の屋根仕上材４６や、端部用の野地板４５や、外壁６側に位置する屋根パネル１５の外側の部分や、屋根パネル固定金具１６や、外壁６の上端部などを覆い隠すように化粧カバー４７や水切材４８などの取合部品が取付けられ、屋根５の外壁６側の部分が完成される。
【００５８】
＜作用＞以下、この実施例の作用について説明する。
【００５９】
工場で屋根材４となる屋根パネル１５を製造する。屋根パネル１５の製造は、まず、一対の垂木受梁２１の間に複数本の垂木２２を垂直に取付けて屋根枠１１を形成し、屋根枠１１の上に野地板１２を取付けることで、屋根パネル１５の基本構造を形成する。更に、野地板１２の上に、防水シート１３を取付け、防水シート１３の上に屋根仕上材１４を取付けることで、屋根パネル１５が完成する。
【００６０】
出来上がった屋根パネル１５は、トラックに載せて建築現場へ輸送され、クレーンで吊上げられて、耐火建築物１の建物本体２の屋根構造体梁３の上に敷設される。
【００６１】
屋根構造体梁３には、予め屋根パネル固定金具１６，１７を取付けておくと共に、耐火被覆材３２を取付けておく。耐火被覆材３２は、適宜切込みを入れるなどして屋根パネル固定金具１６，１７が耐火被覆材３２の外に取り出されるようにする。そして、屋根パネル固定金具１６，１７の上に耐火被覆材３２から浮かせた状態で屋根パネル１５を設置し、屋根パネル１５の垂木受梁２１（の横面部２１ｂ）を屋根パネル固定金具１６，１７の載置固定面３１に載せて、これらをボルト・ナットなどの固定具１８で下側から固定する。
【００６２】
この際、屋根パネル固定金具１６，１７（の載置固定面３１）には、水平投影面上の位置が屋根構造体梁３と被らないようにボルト穴３３を形成しておく。これにより、屋根構造体梁３と干渉することなくボルト・ナットなどの固定具１８で屋根パネル固定金具１６，１７と屋根パネル１５とを下側から簡単に固定することができる（ボルト通しや、ナットの締付けなどが容易にできる）。
【００６３】
固定具１８による屋根パネル１５の固定作業は、例えば、屋根５の屋内側では直下床に設置した脚立に登って行うようにする。屋根５の外壁６側では建物外周足場を利用して行うようにする。以上により、屋根構造体梁３の上に乗っての不安定な高所作業をなくすことができる。
【００６４】
そして、屋根パネル１５が建物本体２の上に固定されたら、屋根５の屋内側では、屋根パネル１５を足場にしてその上に乗り、つなぎの野地板４１やつなぎの屋根仕上材４２などを用いて屋根パネル１５間のつなぎ作業や防水作業などを行う。つなぎ作業は、つなぎの野地板４１やつなぎの屋根仕上材４２などを嵌め込んでドリルねじで固定することで簡単に行うことができる。また、防水作業は、防水シート１３を拡げて防水テープ２３を貼ることで簡単に行うことができる。
【００６５】
屋根５の外壁６側についても、建物外周足場を利用して、上記とほぼ同様に、端部処理や取合部品が取付けを行う。端部処理や取合部品も簡単に行うことができる。
【００６６】
＜効果＞この実施例によれば、以下のような効果を得ることができる。
【００６７】
（効果 １）耐火建築物１の屋根構造は、屋根材４として、屋根枠１１の上に、耐火性の野地板１２と、防水シート１３と、屋根仕上材１４とが予め下から順に組付けられて一体化された屋根パネル１５を用いても良い。これにより、屋根パネル１５は、工場での製造に適したものとなる。
【００６８】
この屋根パネル１５は、屋根枠１１と野地板１２とで、構造的な強度を確保することができ、野地板１２を耐火性とすることで、耐火性を確保することができる。
【００６９】
よって、耐火建築物１の屋根材４に、これまでのようなＡＬＣ版７（軽量気泡コンクリート版）を用いる必要性をなくすことができる。そして、主に屋根枠１１と野地板１２とから成る屋根パネル１５は、ＡＬＣ版７よりも軽く仕上げることができる。また、屋根パネル１５は、ＡＬＣ版７のようにもろくないため、衝撃による欠けや、切断や擦れによる粉塵の発生などの問題も生じないので、慎重な取扱いがいらなくなり、取扱いを大幅に容易化することができる。更に、主に屋根枠１１と野地板１２とから成る屋根パネル１５は、構造的にＡＬＣ版７よりも格段に大判化できる。そして、屋根パネル１５の大判化によって、屋根構造体梁３に対する屋根パネル１５の設置作業の回数や設置作業に掛かる手間などを大幅に減らして、短時間（または短期間）での施工が可能になる。
【００７０】
更に、屋根パネル１５が防水シート１３と屋根仕上材１４とを一体に取付けられることによって、屋根パネル１５は、それ自体で防水施工の大部分が既になされた状態になる。そのため、屋根構造体梁３への屋根パネル１５の敷設後に、敷設した屋根パネル１５を足場にして、屋根パネル１５間の僅かな部分に対して残りの防水施工などを行うだけで良くできる。そして、屋根パネル１５間の防水施工も、間につなぎの野地板４１や防水シート１３や屋根仕上材１４などを取付けるだけの軽い作業となるので、ＡＬＣ版７を用いる場合に行われる防水施工（図２０）と比べて格段に容易に行うことができる。図２０では、ＡＬＣ版７の上にプライマー５１を塗布し、ＡＬＣ版７の間の隙間に絶縁用テープ５２を貼り、屋根５の全面と屋根５の周囲の壁に合成ゴム系シートなどの防水シート５３を接着剤５４で貼り付けるなどすることになり、特別に熟練した技能が必要となり、手間もかかる。よって、ＡＬＣ版７に替えて屋根パネル１５を用いることにより、専門の防水施工業者を不要化できる。
【００７１】
このような屋根パネル１５は、屋根構造体梁３に取付けられた屋根パネル固定金具１６，１７に対して下側から固定されるようにしても良い。これにより、クレーンで吊り上げた屋根パネル１５を屋根構造体梁３の上に下ろした後に、屋根パネル１５を屋根パネル固定金具１６，１７に対して下側からボルトやナットなどの固定具１８で固定するだけで良くなるので、これまでのように、屋根構造体梁３の上に乗った不安定な状態で（屋根パネル１５よりも重い）ＡＬＣ版７を敷設して行くような高所作業をなくすことができる。具体的には、屋根パネル１５は、屋根５の屋内側では直下床に設置した脚立に登るだけで簡単に固定作業を行うことができ、屋根５の外壁６側では建物外周足場を利用することで簡単に外壁６に面した部分の固定作業を行うことができる。よって、屋根構造体梁３に対する屋根パネル１５の固定が容易となり、高所作業で重量物の扱い技能のある熟練工を不要化できる。
【００７２】
更に、屋根構造体梁３に対する屋根パネル１５の固定作業と、屋根パネル１５の固定後の防水作業とを、同じ作業者（多能工）によって、続けて行うことができ、しかも、特別な技能を用いずに一般的な作業だけで短時間のうちに容易に施工できるので、ＡＬＣ版７を施工する場合のような２種類の技能工の入替えによるロス（空き時間の発生）をなくして、作業の効率化や工期短縮を図ることができる。また、２種類の技能工の入替えがないため、現場作業での工程組みも容易になる。
【００７３】
（効果 ２）耐火建築物１の屋根構造では、屋根パネル１５は、屋根枠１１が、平行な一対の垂木受梁２１と、垂木受梁２１の間に架設連結された複数本の垂木２２とを有しても良い。これにより、垂木受梁２１と垂木２２とで強固な枠組みが作られるので、大判の屋根パネル１５を容易に構成することが可能になる。
【００７４】
例えば、屋根パネル１５は、大型のトラックとクレーンを用いることができる状況下では、大型のトラックに積載可能な最大の大きさ（例えば、幅２．５ｍ×長さ５．６ｍ程度）まで容易に大判化することができる。これに対し、ＡＬＣ版７は、幅６０ｃｍ×長さ２４０ｃｍ程度のものが最大となっており、ＡＬＣ版７と比べて屋根パネル１５を格段に大判化できる。
【００７５】
また、野地板１２および屋根仕上材１４は、屋根枠１１よりも短い幅寸法Ｗ１にして、屋根枠１１の上の垂木２２の両端部よりも内側の位置に、互いに周縁部の位置を上下に揃えて重ね合わせても良い。これにより、屋根構造体梁３に対する屋根パネル１５の固定後に、隣接する屋根パネル１５間や屋根パネル１５の端部に防水施工などを行うスペースを確保することができる。また、野地板１２および屋根仕上材１４を、互いに周縁部の位置を上下に揃えた状態で重ねることで、隣接する屋根パネル１５間に設置するつなぎの野地板４１とつなぎの屋根仕上材４２の大きさや、屋根パネル１５の端部に設置する端部用の野地板４５と端部用の屋根仕上材４６の大きさを同じにすることができて、取扱いや作業がやり易い。
【００７６】
防水シート１３は、屋根枠１１よりも長い幅寸法Ｗ３を有して屋根枠１１の外側にハミ出るように屋根材４と屋根仕上材１４との間に挟み込まれても良い。これにより、屋根パネル１５の製造時に防水シート１３の野地板１２や屋根仕上材１４からハミ出る部分を丸めたり折畳んだりして屋根枠１１の範囲内に収めておくことで、防水シート１３が邪魔にならないようにして屋根パネル１５を取扱易くでき、屋根構造体梁３に対する屋根パネル１５の固定後に、防水シート１３を屋根枠１１の外側に拡げることで、隣接する屋根パネル１５間や屋根パネル１５の端部に簡単に防水シート１３を敷設して防水施工などを行うことができる。
【００７７】
（効果 ３）耐火建築物１の屋根構造は、屋根パネル固定金具１６，１７が、屋根パネル１５を上部に載置固定する載置固定面３１を有しても良い。これにより、クレーンで吊り上げた屋根パネル１５を屋根構造体梁３の上に下ろして、載置固定面３１の上に載置させ、屋根パネル１５を下から屋根パネル固定金具１６，１７で固定することにより、屋根構造体梁３に屋根パネル１５を設置することができる。
【００７８】
そして、載置固定面３１が、屋根構造体梁３に取付けられる耐火被覆材３２よりも高い位置に設置されることで、載置固定面３１に支持した屋根パネル１５が耐火被覆材３２に干渉するのを防止できる。
【００７９】
また、載置固定面３１がボルト穴３３を有することにより、ボルト穴３３を使用して屋根パネル１５を載置固定面３１に精度良く取付けることができる。載置固定面３１が、屋根構造体梁３よりも外側の位置にボルト穴３３を有することにより、載置固定面３１に下側から屋根パネル１５をボルトやナットなどの固定具１８で締結固定する際に、屋根構造体梁３が邪魔にならずに固定具１８を取付けることができる。
【００８０】
（効果 ４）屋根パネル１５は、隣接した状態で屋根パネル固定金具１６に同時に固定されても良い。これにより、２つの屋根パネル１５を隣接して配置することができる。隣接する屋根パネル１５の隣接する野地板１２間に、つなぎの野地板４１が介在されても良い。これにより、隣接する野地板１２間を、つなぎの野地板４１で連続させることができる。隣接する屋根パネル１５の隣接する防水シート１３が、互いに重ね合わされた状態で防水テープ２３によって貼り合わされても良い。これにより、隣接する防水シート１３によってつなぎ部分の防水を行うことができる。隣接する屋根パネル１５の隣接する屋根仕上材１４間に、つなぎの屋根仕上材４２が介在されても良い。これにより、隣接する屋根仕上材１４間を、つなぎの屋根仕上材４２で連続させると共に、防水シート１３の貼り合せ部分を隠すことができる。以上により、屋根パネル１５間のつなぎ処理を簡単に行うことができる。
【００８１】
（効果 ５）屋根パネル１５が、屋根パネル固定金具１７に固定されても良い。これにより、屋根５の外壁６側の部分などに屋根パネル１５を配置することができる。屋根パネル１５の屋根枠１１の端部の上に、野地板１２の端部と並べて、端部用の野地板４５が設置されても良い。これにより、屋根５の外壁６側の部分で屋根枠１１の端部を端部用の野地板４５で覆うことができる。屋根パネル１５の防水シート１３の端部が、端部用の野地板４５の上を覆うように拡げられても良い。これにより、端部用の野地板４５を防水シート１３の端部で覆うことができる。屋根パネル１５の防水シート１３の端部の上に、屋根仕上材１４の端部と並べて、端部用の屋根仕上材４６が設置されても良い。これにより、防水シート１３の端部を端部用の屋根仕上材４６で覆うことができる。以上により、屋根５の端部処理を簡単に行うことができる。
【符号の説明】
【００８２】
１      耐火建築物
３      屋根構造体梁
４      屋根材
５      屋根５
１１    屋根枠
１２    野地板
１３    防水シート
１４    屋根仕上材
１５    屋根パネル
１６    屋根パネル固定金具（内側固定金具）
１７    屋根パネル固定金具（外側固定金具）
２１    垂木受梁
２２    垂木
２３    防水テープ
３１    載置固定面
３２    耐火被覆材
３３    ボルト穴
４１    つなぎの野地板
４２    つなぎの屋根仕上材
４５    端部用の野地板
４６    端部用の屋根仕上材
Ｗ１    幅寸法
Ｗ２    幅寸法
Ｗ３    幅寸法
【図１】
2020183683.tif 000003
【図２】
2020183683.tif 000004
【図３】
2020183683.tif 000005
【図４】
2020183683.tif 000006
【図５】
2020183683.tif 000007
【図６】
2020183683.tif 000008
【図７】
2020183683.tif 000009
【図８】
2020183683.tif 000010
【図９】
2020183683.tif 000011
【図１０】
2020183683.tif 000012
【図１１】
2020183683.tif 000013
【図１２】
2020183683.tif 000014
【図１３】
2020183683.tif 000015
【図１４】
2020183683.tif 000016
【図１５】
2020183683.tif 000017
【図１６】
2020183683.tif 000018
【図１７】
2020183683.tif 000019
【図１８】
2020183683.tif 000020
【図１９】
2020183683.tif 000021
【図２０】
2020183683.tif 000022